(57)【要約】【課題】  グループによる共同編集を促進させる情報処理システムを提供することを目的とする。【解決手段】  共有スポットサーバ４は、携帯端末３からコンテンツに対するアクセス要求を受け付けると、携帯端末３が存在する場所を特定し、携帯端末３によりアクセス可能となっているテンプレートを特定し、特定された場所及びテンプレートと、携帯端末からアクセス要求を受け付けた時間帯とに基づいて、アクセス要求を許可するか否かを決定する。このように、共有スポットシステム１では、場所、時間及びテンプレートを認証条件とするため、場所、時間及び関心事（テンプレートに表象された関心事）を共有するユーザでグループが形成される。【選択図】図１
2014153925.tif 000002
【特許請求の範囲】
【請求項１】
携帯端末からコンテンツに対するアクセス要求を受け付ける要求受付手段と、
前記携帯端末が存在する場所を特定する場所特定手段と、
前記携帯端末によりアクセス可能となっているテンプレートを特定するテンプレート特定手段と、
前記場所特定手段により特定された場所と、前記テンプレート特定手段により特定されたテンプレートと、前記携帯端末からアクセス要求を受け付けた時間帯とに基づいて、前記要求受付手段により受け付けられたアクセス要求を許可するか否かを決定する認証手段と
を有する情報処理装置。
【請求項２】
場所の範囲、期間、及び、テンプレートを識別するテンプレート識別情報を認証情報として格納する認証情報格納手段
をさらに有し、
前記認証手段は、前記認証情報格納手段に格納された認証情報を用いて、アクセス要求を許可するか否かを決定する
請求項１に記載の情報処理装置。
【請求項３】
前記認証手段によりアクセスが許可された携帯端末に対してアクセス可能な状態で、前記テンプレートを用いて作成されたコンテンツを格納するコンテンツ格納手段と、
前記認証情報格納手段に認証情報の一部として格納されている期間が経過した場合に、この認証情報の一部であるテンプレート識別情報に対応するテンプレートを用いて作成されたコンテンツを前記コンテンツ格納手段から削除するコンテンツ削除手段と
をさらに有する請求項２に記載の情報処理装置。
【請求項４】
新たに登録要求された認証情報と、前記認証情報格納手段に格納されている認証情報とを比較し、この比較結果に応じて、新たに登録要求された認証情報を前記認証情報格納手段に登録するか否かを判定する登録判定手段
をさらに有する請求項３に記載の情報処理装置。
【請求項５】
同一の認証情報を用いてアクセス要求する複数のユーザの識別情報をグループとして管理するグループ管理手段
をさらに有し、
前記登録判定手段は、新たに登録要求された認証情報が、前記認証情報格納手段に格納されている認証情報のいずれかと、既定条件以上類似している場合に、新たに登録要求された認証情報を、類似している認証情報に対応するグループのサブグループとして登録を許可し、
前記グループ管理手段は、サブグループの認証情報を、これに関連するグループに関連付けて管理する
請求項４に記載の情報処理装置。
【請求項６】
前記登録判定手段は、携帯端末から新たに認証情報の登録要求がなされた場合に、この携帯端末が、新たに登録要求された認証情報に含まれる場所の範囲内に存在することを条件として、新たに登録要求された認証情報を前記認証情報格納手段に格納させる
請求項５に記載の情報処理装置。
【請求項７】
携帯端末上で既定のアプリケーションプログラムが起動しており、かつ、前記認証情報格納手段に格納されている認証情報の一部が満たされている場合に、この携帯端末に対してネットワーク接続を確立するように試みる接続手段
をさらに有する請求項６に記載の情報処理装置。
【請求項８】
認証情報を登録した携帯端末と、同一グループに属する他の携帯端末との間の距離に応じて、この他の携帯端末について、このグループ内で作成されたコンテンツに対する権限を設定する権限設定手段
をさらに有する請求項７に記載の情報処理装置。
【請求項９】
前記認証情報格納手段に認証情報の一部として格納された期間が経過した場合に、この認証情報に対応するグループに属する携帯端末に対して、このグループ内で作成されたコンテンツを配信するコンテンツ配信手段
をさらに有する請求項８に記載の情報処理装置。
【請求項１０】
携帯端末からコンテンツに対するアクセス要求を受け付ける要求受付機能と、
前記携帯端末が存在する場所を特定する場所特定機能と、
前記携帯端末によりアクセス可能となっているテンプレートを特定するテンプレート特定機能と、
前記場所特定機能により特定された場所と、前記テンプレート特定機能により特定されたテンプレートと、前記携帯端末からアクセス要求を受け付けた時間帯とに基づいて、前記要求受付機能により受け付けられたアクセス要求を許可するか否かを決定する認証機能と
をコンピュータに実現させるプログラム。
【請求項１１】
携帯端末と情報処理装置とが含まれた情報処理システムであって、
前記情報処理装置は、
携帯端末からコンテンツに対するアクセス要求を受け付ける要求受付手段と、
前記携帯端末が存在する場所を特定する場所特定手段と、
前記携帯端末によりアクセス可能となっているテンプレートを特定するテンプレート特定手段と、
前記場所特定手段により特定された場所と、前記テンプレート特定手段により特定されたテンプレートと、前記携帯端末からアクセス要求を受け付けた時間帯とに基づいて、前記要求受付手段により受け付けられたアクセス要求を許可するか否かを決定する認証手段と
を有し、
前記携帯端末は、前記テンプレートを用いて、コンテンツを編集する
情報処理システム。
【発明の詳細な説明】
【技術分野】
【０００１】
本発明は、情報処理装置、情報処理システム、及びプログラムに関する。
【背景技術】
【０００２】
例えば、特許文献１には、文書または画像を含むコンテンツを所定のデザインを持つテンプレート上に展開して表示するために適用する異なるデザインの複数のテンプレートをテンプレート属性情報とともに格納した記憶部と、前記コンテンツの構成情報を検索キーとして、前記テンプレート属性情報とのマッチング処理を行い、マッチ率の高いテンプレート属性情報を持つテンプレートをコンテンツ表示に適用するコンテンツ対応テンプレートとして選択する処理を実行する制御部を有する情報処理装置が開示されている。
【０００３】
また、特許文献２には、ネットワークに接続する複数の携帯端末装置の各々が、他の携帯端末装置のユーザに関連するユーザ情報を前記ネットワークに接続するサーバ装置から取得する携帯端末装置による情報共有システムであって、前記携帯端末装置は、前記サーバ装置に自己の識別情報の登録を求める第１の端末登録部と、前記サーバ装置に自己のユーザ情報の登録を求める第１の共有情報登録部と、前記サーバ装置に前記識別情報を登録された他の携帯端末装置との間で、前記ユーザ情報の共有登録を求める第１のペアリング登録部と、前記サーバ装置に前記ユーザ情報の共有を許可された他の携帯端末装置のユーザ情報の参照を求める第１の共有情報参照部とを備え、前記サーバ装置は、前記第１の端末登録部の登録要求に基づいて前記携帯端末装置を登録する第２の端末登録部と、前記第１の共有情報登録部の登録要求に基づいてユーザ情報を登録する第２の共有情報登録部と、前記第１のペアリング登録部の登録要求に基づいて前記ユーザ情報の共有許可を許可する第２のペアリング登録部と、前記第１の共有情報参照部の参照要求に基づいてユーザ情報の参照を認める第２の共有情報参照部とを備えることを特徴とする携帯端末装置による情報共有システムが開示されている。
【０００４】
また、特許文献３には、端末間のペアリングを行うペアリング装置であって、識別情報の組合せを所定期間ごとに更新する識別情報更新手段と、前記識別情報更新手段が更新する識別情報の組合せを格納する識別情報格納手段と、端末間のペアリングを要求する旨のペアリング要求を受信すると、前記ペアリング要求を受信した時点において前記識別情報格納手段が格納する識別情報の組合せを抽出して、前記ペアリング要求を受信した端末に送信する識別情報送信手段と、前記識別情報の組合せに含まれる複数の識別情報の中から選択された識別情報を、各端末から受信する識別情報受信手段と、前記識別情報受信手段が受信した識別情報が合致する端末同士をペアリングすると判定するペアリング判定手段とを備えたことを特徴とするペアリング装置が開示されている。
【先行技術文献】
【特許文献】
【０００５】
【特許文献１】特開２０１０−１７６２４９
【特許文献２】特開２００８−４７０２２
【特許文献３】特開２０１０−１１４７２７
【発明の概要】
【発明が解決しようとする課題】
【０００６】
グループによる共同編集を促進させる情報処理システムを提供することを目的とする。
【課題を解決するための手段】
【０００７】
本発明に係る情報処理装置は、携帯端末からコンテンツに対するアクセス要求を受け付ける要求受付手段と、前記携帯端末が存在する場所を特定する場所特定手段と、前記携帯端末によりアクセス可能となっているテンプレートを特定するテンプレート特定手段と、前記場所特定手段により特定された場所と、前記テンプレート特定手段により特定されたテンプレートと、前記携帯端末からアクセス要求を受け付けた時間帯とに基づいて、前記要求受付手段により受け付けられたアクセス要求を許可するか否かを決定する認証手段とを有する。
【０００８】
好適には、場所の範囲、期間、及び、テンプレートを識別するテンプレート識別情報を認証情報として格納する認証情報格納手段  をさらに有し、前記認証手段は、前記認証情報格納手段に格納された認証情報を用いて、アクセス要求を許可するか否かを決定する。
【０００９】
好適には、前記認証手段によりアクセスが許可された携帯端末に対してアクセス可能な状態で、前記テンプレートを用いて作成されたコンテンツを格納するコンテンツ格納手段と、前記認証情報格納手段に認証情報の一部として格納されている期間が経過した場合に、この認証情報の一部であるテンプレート識別情報に対応するテンプレートを用いて作成されたコンテンツを前記コンテンツ格納手段から削除するコンテンツ削除手段とをさらに有する。
【００１０】
好適には、新たに登録要求された認証情報と、前記認証情報格納手段に格納されている認証情報とを比較し、この比較結果に応じて、新たに登録要求された認証情報を前記認証情報格納手段に登録するか否かを判定する登録判定手段をさらに有する。
【００１１】
好適には、同一の認証情報を用いてアクセス要求する複数のユーザの識別情報をグループとして管理するグループ管理手段をさらに有し、前記登録判定手段は、新たに登録要求された認証情報が、前記認証情報格納手段に格納されている認証情報のいずれかと、既定条件以上類似している場合に、新たに登録要求された認証情報を、類似している認証情報に対応するグループのサブグループとして登録を許可し、前記グループ管理手段は、サブグループの認証情報を、これに関連するグループに関連付けて管理する。
【００１２】
好適には、前記登録判定手段は、携帯端末から新たに認証情報の登録要求がなされた場合に、この携帯端末が、新たに登録要求された認証情報に含まれる場所の範囲内に存在することを条件として、新たに登録要求された認証情報を前記認証情報格納手段に格納させる。
【００１３】
好適には、携帯端末上で既定のアプリケーションプログラムが起動しており、かつ、前記認証情報格納手段に格納されている認証情報の一部が満たされている場合に、この携帯端末に対してネットワーク接続を確立するように試みる接続手段をさらに有する。
【００１４】
好適には、認証情報を登録した携帯端末と、同一グループに属する他の携帯端末との間の距離に応じて、この他の携帯端末について、このグループ内で作成されたコンテンツに対する権限を設定する権限設定手段をさらに有する。
【００１５】
好適には、前記認証情報格納手段に認証情報の一部として格納された期間が経過した場合に、この認証情報に対応するグループに属する携帯端末に対して、このグループ内で作成されたコンテンツを配信するコンテンツ配信手段をさらに有する。
【００１６】
本発明に係るプログラムは、携帯端末からコンテンツに対するアクセス要求を受け付ける要求受付機能と、前記携帯端末が存在する場所を特定する場所特定機能と、前記携帯端末によりアクセス可能となっているテンプレートを特定するテンプレート特定機能と、前記場所特定機能により特定された場所と、前記テンプレート特定機能により特定されたテンプレートと、前記携帯端末からアクセス要求を受け付けた時間帯とに基づいて、前記要求受付機能により受け付けられたアクセス要求を許可するか否かを決定する認証機能とをコンピュータに実現させる。
【００１７】
本発明に係る情報処理システムは、携帯端末と情報処理装置とが含まれた情報処理システムであって、前記情報処理装置は、携帯端末からコンテンツに対するアクセス要求を受け付ける要求受付手段と、前記携帯端末が存在する場所を特定する場所特定手段と、前記携帯端末によりアクセス可能となっているテンプレートを特定するテンプレート特定手段と、前記場所特定手段により特定された場所と、前記テンプレート特定手段により特定されたテンプレートと、前記携帯端末からアクセス要求を受け付けた時間帯とに基づいて、前記要求受付手段により受け付けられたアクセス要求を許可するか否かを決定する認証手段とを有し、前記携帯端末は、前記テンプレートを用いて、コンテンツを編集する。
【発明の効果】
【００１８】
グループによる共同編集を促進させることができる。
【図面の簡単な説明】
【００１９】
【図１】共有スポットシステム１のハードウェア構成を例示する図である。
【図２】共有スポットシステム１におけるグループの参加条件（認証条件）を説明する図である。
【図３】共有スポットサーバ４のハードウェア構成を例示する図である。
【図４】共有スポットサーバ４の機能構成を例示する図である。
【図５】携帯端末３のハードウェア構成を例示する図である。
【図６】携帯端末３の機能構成を例示する図である。
【図７】共有スポットサーバ４により管理されるデータを例示する図である。
【図８】共有スポットシステム１における動作概要（Ｓ１０）を例示するシーケンス図である。
【図９】設定情報９００を例示する図である。
【図１０】共有スポットサーバ４によるグループ生成処理（Ｓ２０）のフローチャートである。
【図１１】作成支援サーバ４によるコンテンツ編集配信処理（Ｓ３０）のフローチャートである。
【図１２】第２の実施形態におけるグループの参加条件（認証条件）を説明する図である。
【図１３】第２の実施形態における共有スポットサーバ４の機能構成を例示する図である。
【図１４】（Ａ）類似度判定条件を例示する図である。（Ｂ）グループデータベース６２０を例示する図である。
【図１５】第２の実施形態における設定情報登録処理（Ｓ５０）のフローチャートである。
【図１６】第２の実施形態におけるテンプレートを例示する図である。
【図１７】携帯端末３に表示させる表示画面を例示する図である。
【発明を実施するための形態】
【００２０】
以下、本発明の第１の実施形態を、図面を参照して説明する。
図１は、共有スポットシステム１のハードウェア構成を例示する図である。
図１に例示するように、共有スポットシステム１は、携帯端末３と、共有スポットサーバ４とを含む。
携帯端末３は、共同編集を行うユーザが操作する携帯型のコンピュータ端末である。本例では、グループによる共同編集を主導するユーザ（オーナー）と、このグループに参加する他のユーザ（参加者）とが存在し、それぞれのユーザが携帯端末３を所持する形態を具体例として説明する。なお、グループに参加していないユーザを非参加者と呼ぶ。
【００２１】
図２は、共有スポットシステム１におけるグループの参加条件（認証条件）を説明する図である。
図２に例示するように、共有スポットサーバ４は、携帯端末３が存在する場所、携帯端末３がグループへの参加要求（アクセス要求）を行うタイミング、及び、携帯端末３が共有するテンプレートに基づいて、このテンプレートの共同編集を行うグループへの参加の可否を判断する。
本例では、オーナーは、携帯端末３Ａを操作して、観光地のエリア内、及び、観光時期（冬の金沢市近江町市場など）を認証条件として設定し、さらに、この観光地のご当地グルメをテーマとしたテンプレートを作成し、認証条件として共有スポットサーバ４に登録する。これにより、時、場所、及び関心事を共有するユーザがグループとして参加可能になる。換言すると、リアルな時及び場所を共有するユーザが、テンプレートに表象されたテーマ（関心事）を中心にして、仮想空間上の編集空間に参加できる。
【００２２】
これにより、多様な認証条件が設定可能である。例えば、物理的に侵入が制限されたエリアを認証条件としたり、短い時間帯を認証条件とすることにより、厳しい認証条件を課して、よりセキュアなグループを形成できる。一方で、広いエリア及び長い時間帯を認証条件とすることにより、比較的参加しやすいグループを形成することもできる。また、各グループの嗜好が反映されたテンプレートを認証条件とすることにより、参加者の嗜好に基づく認証が可能になる。
また、認証条件が場所、時間及びテンプレートの組合せであるため、オーナーは参加者にＩＤやパスワードを教える必要がなく、参加者は、ＩＤやパスワードなどを覚えて入力する必要もない。認証条件の内容によっては、参加者が、ただ単に、ある時間帯にある場所に行って、嗜好にあったテンプレートを選択するだけで、グループに参加できるため、より直感的なグループ参加認証が可能になる。また、リアルタイム性の高いグループの形成も可能である。
また、テンプレートがテーマを表象しているため、これを見て参加した参加者には、このテンプレートの編集作業について高いモチベーションが期待できる。さらに、上記のようにリアルタイム性の高いグループ形成であるため、現場に近い場所で、感動が薄れる前に編集作業が行われることも期待できる。
【００２３】
図３は、共有スポットサーバ４のハードウェア構成を例示する図である。
図３に例示するように、共有スポットサーバ４は、ＣＰＵ４００、メモリ４０２、ＨＤＤ４０４、ネットワークインタフェース４０６（ネットワークＩＦ４０６）、表示装置４０８、及び入力装置４１０を有し、これらの構成はバス４１２を介して互いに接続している。
ＣＰＵ４００は、例えば、中央演算装置である。
メモリ４０２は、例えば、揮発性メモリであり、主記憶装置として機能する。
ＨＤＤ４０４は、例えば、ハードディスクドライブ装置であり、不揮発性の記録装置としてコンピュータプログラムやその他のデータファイルを格納する。
ネットワークＩＦ４０６は、有線又は無線で通信するためのインタフェースであり、インターネットを介した携帯端末３との通信を実現する。
表示装置４０８は、例えば、液晶ディスプレイである。
入力装置４１０は、例えば、キーボード及びマウスである。
【００２４】
図４は、共有スポットサーバ４の機能構成を例示する図である。
図４に例示するように、本例の共有スポットサーバ４には、共有スポットプログラム５０がインストールされると共に、設定情報データベース６００（設定情報ＤＢ６００）、コンテンツデータベース６１０（コンテンツＤＢ６１０）及びグループデータベース６２０（グループＤＢ６２０）が構成される。
共有スポットプログラム５０は、設定情報管理部５００、接続部５１０、認証部５２０、コンテンツ管理部５３０、場所特定部５４０、テンプレート特定部５５０、要求受付部５６０、ユーザ管理部５７０、及びコンテンツ配信部５８０を有する。
なお、共有スポットプログラム５０の一部又は全部は、ＡＳＩＣなどのハードウェアにより実現されてもよい。
【００２５】
共有スポットプログラム５０において、設定情報管理部５００は、携帯端末３から受信した設定情報を設定情報ＤＢ６００に登録する。
本例の設定情報管理部５００は、図９に例示する設定情報９００を、オーナーの携帯端末３から受信し、受信した設定情報９００を設定情報ＤＢ６００に登録する。設定情報９００には、認証条件として、場所の範囲を示す情報（本例の「Ｌｏｃａｔｉｏｎ」及び「Ｅｆｆｅｃｔｉｖｅ Ｒａｄｉｕｓ」）と、期間（本例の「Ｅｎｔｒｙ Ｔｉｍｅ」）と、テンプレートを識別する情報（本例の「Ｉｍｐｒｉｎｔ Ｔｈｅｍｅ Ｓｈｅｅｔ」）とが含まれている。設定情報９００には、上記認証条件に加えて、グループの有効期間（すなわち、データ共有が有効である期間）を示す情報「Ｔｅｒｍ ｏｆ Ｖａｌｉｄｉｔｙ」と、グループの最大人数を示す情報「Ｍａｘｉｍｕｍ Ｕｓｅｒ」と、オーナーからユーザ全員に対し、写真又は動画を共有可能にすることを示す情報「Ｕｓｅｒ Ｓｈａｒｅｉｎｇ」と、共有エリア（場所の範囲）から離れた携帯端末に再接続を許可するか否かを示す情報「Ａｌｌｏｗ Ｏｕｔ ｏｆ Ａｒｅａ」と、共有期間終了後に、共有されたデータを配信することを示す情報「Ａｌｌｏｗ Ａｆｔｅｒ Ｓｈａｒｉｎｇ」と、共有エリアで端末を検知した場合、自動的にグループ参加させることを示す情報「Ａｕｔｏ Ｃｏｎｎｅｃｔｉｎｇ」と、グループ参加時に、強制的にパスワード入力を要求することを示す情報「Ｒｅｑｕｉｒｅ Ｐａｓｓｗｏｒｄ」とが含まれうる。
【００２６】
接続部５１０は、携帯端末３が認証条件の一部を満たしている場合に、この携帯端末３に対して、ネットワーク接続を確立するように試みる。
例えば、接続部５１０は、携帯端末３上で既定のアプリケーションプログラムが起動しており、かつ、この携帯端末３が認証条件の一つである場所の範囲に存在する場合に、この携帯端末３にネットワーク接続を確立するよう試みる。
本例の接続部５１０は、携帯端末３上で既定のアプリケーションプログラムが起動しており、かつ、この携帯端末３が認証条件の一つである場所の範囲に入った時に、この携帯端末３の既定のアプリケーションプログラムにコネクションを張り、このコネクションを使用して、他の認証条件であるテンプレートを携帯端末３に表示させて、グループへの参加を促す。
【００２７】
認証部５２０は、場所特定部５４０により特定された携帯端末３の位置情報と、要求受付部５６０によりコンテンツに対するアクセス要求を受け付けた時間帯と、テンプレート特定部５５０により特定されたテンプレートとに基づいて、受け付けたアクセス要求を許可するか否かを決定する。
例えば、認証部５２０は、場所特定部５４０により特定された携帯端末３の位置情報、要求受付部５６０によりコンテンツに対するアクセス要求を受け付けた時間帯、及び、テンプレート特定部５５０により特定されたテンプレートと、設定情報ＤＢ６００に登録されている認証条件とを比較して、グループへの参加を許可するか否かを決定する。
【００２８】
コンテンツ管理部５３０は、コンテンツDB６１０に登録されるコンテンツを管理する。ここで、本発明に係るコンテンツとは、テンプレートそのもの、テンプレートに挿入されるコンテンツ（画像又は文字列など）、あるいは、これらの組合せを包括する概念である。
本例のコンテンツ管理部５３０は、権限設定部５３２、コンテンツ編集部５３４、及びコンテンツ削除部５３６を含む。
【００２９】
権限設定部５３２は、オーナーの携帯端末３から、同じグループに属する参加者の携帯端末３とまでの距離に応じて、この参加者のコンテンツに対する権限を設定する。例えば、権限設定部５３２は、オーナーの携帯端末３から近いほど、より多くの権限を参加者の携帯端末３に付与する。
【００３０】
コンテンツ編集部５３４は、携帯端末３から受信した編集指示情報に基づいて、テンプレートに対する編集処理を行う。テンプレートに対する編集処理とは、テンプレートへの画像の挿入、挿入された写真の編集又は削除、テンプレートへの文字列の挿入、挿入された文字列の編集又は削除などである。
例えば、コンテンツ編集部５３４は、テンプレートに対して、画像の挿入又は削除、挿入された画像に対する画像編集、又は、文字列の挿入又は削除などを行う。
【００３１】
コンテンツ削除部５３６は、設定情報ＤＢ６００に設定情報の一部として格納されている期間が経過した場合に、この設定情報の一部であるテンプレートを用いて作成されたコンテンツを、コンテンツＤＢ６１０から削除する。すなわち、コンテンツ削除部５３６は、グループで設定された有効期間が経過した場合に、この設定情報に対応するグループで共有されているコンテンツをコンテンツＤＢ６１０から削除する。なお、この場合の期間は、設定情報内の有効期間であってもよいし、認証条件である期間であってもよい。
【００３２】
場所特定部５４０は、携帯端末３が存在する場所を特定する。
例えば、場所特定部５４０は、携帯端末３から、ＧＰＳ（Ｇｌｏｂａｌ  Ｐｏｓｉｔｉｏｎｉｎｇ  Ｓｙｓｔｅｍ）から取得した位置情報、又は、通信に使用している基地局に関する情報を、携帯端末３の位置情報として取得する。
本例の場所特定部５１０は、携帯端末３によりアクセス要求がなされた時の位置情報（ＧＰＳデータ）を、アクセス要求データと共に携帯端末３から受信する。
【００３３】
テンプレート特定部５５０は、携帯端末３によりアクセス可能となっているテンプレートを特定する。例えば、テンプレート特定部５５０は、携帯端末３が保有するテンプレートＩＤ(テンプレートを識別する情報)を取得する。
本例のテンプレート特定部５５０は、携帯端末３により選択されているテンプレートを特定し、特定されたテンプレートのテンプレートＩＤを認証情報とする。
【００３４】
要求受付部５６０は、携帯端末３から、コンテンツに対するアクセス要求を受け付ける。アクセス要求とは、テンプレートのプレビュー要求、コンテンツの閲覧要求、及び、コンテンツに対する編集要求を含む概念である。
本例の要求受付部５６０は、時間帯特定部５６２を含む。
【００３５】
時間帯特定部５６２は、要求受付部５６０が携帯端末３からアクセス要求を受け付けた時間帯を特定する。
本例の時間帯特定部５６２は、要求受付部５６０が携帯端末３からアクセス要求を受け付けた時に、その時の時刻情報を、アクセス要求に付加する。
【００３６】
ユーザ管理部５７０は、グループに属するユーザを管理する。
本例のユーザ管理部５７０は、同一の認証条件で認証に成功したユーザのユーザＩＤを、この認証条件に対応するグループのユーザとしてグループＤＢ６２０に登録する。また、ユーザ管理部５７０は、アルバムを共同編集するユーザ（参加者）の登録を行う。
【００３７】
コンテンツ配信部５８０は、設定情報の一部として設定された期間が経過した場合に、この設定情報に対応するグループに属するユーザの携帯端末３に対して、このグループ内で作成されたコンテンツを配信する。
本例のコンテンツ配信部５８０は、設定情報に含まれる有効期間が経過した場合に、この設定情報に対応するグループのコンテンツを、このグループに属する全ユーザの携帯端末３に配信し、その後に、コンテンツ削除部５３６にコンテンツ削除を許可する。コンテンツの配信を自動化することにより、オーナーの負荷を減らすと共に、コンテンツ配信及び削除の期限を設定することにより、各ユーザに編集可能期限を設定し、リアルタイムでの編集を促すことができる。
【００３８】
図５は、携帯端末３のハードウェア構成を例示する図である。
図５に例示するように、携帯端末３は、ＣＰＵ３００、揮発性メモリ３０２、不揮発性メモリ３０４、ネットワークインタフェース３０６（ネットワークＩＦ３０６）、タッチパネル３０８、カメラ３１０、位置特定装置３１２、及び音声入出力装置３１４を有し、これらの構成はバス３１６を介して互いに接続している。
ＣＰＵ３００は、例えば、中央演算装置である。
揮発性メモリ３０２は、例えば、主記憶装置として機能する。
不揮発性メモリ３０４は、例えば、不揮発性の記録装置としてコンピュータプログラムやその他のデータファイルを格納する。
ネットワークＩＦ３０６は、無線で通信するためのインタフェースであり、電話回線又はインターネットを介した作成支援サーバ４との通信を実現する。
タッチパネル３０８は、例えば、表示装置及び入力装置として機能するディスプレイである。
カメラ３１０は、例えば、携帯端末３に内蔵された撮影装置である。なお、カメラ３１０は、ＵＳＢケーブルなどにより外部接続された撮影装置であってもよい。
位置特定装置３１２は、例えば、ＧＰＳ信号を受信し、受信した信号に基づいて現在位置を特定する装置である。
音声入出力装置３１４は、例えば、マイク及びスピーカを含み、音声の入力及び出力を実現する。
【００３９】
図６は、携帯端末３の機能構成を例示する図である。
図６に例示するように、携帯端末３には、編集支援プログラム３５０がインストールされている。編集支援プログラム３５０は、位置情報取得部３５２、時刻取得部３５４、グループ生成要求部３５６、グループ参加要求部３５８、及びコンテンツ編集部３６０を有する。なお、本プログラムの一部又は全部は、ＡＳＩＣなどのハードウェアによって実現されてもよく、また、ＯＳ（Ｏｐｅｒａｔｉｎｇ Ｓｙｓｔｅｍ）の機能を一部借用して実現されてもよい。
【００４０】
編集支援プログラム３５０において、位置情報取得部３５２は、位置特定装置３１２を制御して、携帯端末３の位置を特定し、特定された位置情報を共有スポットサーバ４に送信する。
本例の位置情報取得部３５２は、携帯端末３により共有スポットサーバ４内のコンテンツにアクセス要求が行われた場合に、要求時の位置を特定し、特定された位置情報を共有スポットサーバ４に送信する。
【００４１】
時刻取得部３５４は、現在時刻を取得する。
グループ生成要求部３５６は、ユーザの操作に応じて、設定情報９００の登録を共有スポットサーバ４に要求する。すなわち、グループ生成要求部３５６は、ユーザの操作に応じて、設定情報９００を作成し、この設定情報９００に対応するグループの生成を共有スポットサーバ４に要求する。
【００４２】
グループ参加要求部３５８は、ユーザの操作に応じて、共有スポットサーバ４により管理されているグループへの参加要求を行う。
本例のグループ参加要求部３５８は、ユーザが選択したテンプレート（すなわち、グループ）に対して、共有スポットサーバ４にアクセス要求を行う。
【００４３】
コンテンツ編集部３６０は、共有スポットサーバ４で管理されているコンテンツ（テンプレートを含む）に対する編集操作を行う。
本例のコンテンツ編集部３６０は、ユーザの操作に応じて、コンテンツの編集を指示する編集指示情報を生成し、生成された編集指示情報を共有スポットサーバ４に送信する。
【００４４】
図７は、共有スポットサーバ４により管理されるデータを例示する図である。
図７（Ａ）に例示するように、共有スポットサーバ４は、グループのオーナーの端末ＩＤ（携帯端末の識別情報）、及び、このオーナーにより登録された設定情報を、グループを識別するグループＩＤに関連付け、設定情報データベース６００に登録する。なお、グループＩＤは、設定情報を受け付けた時に、設定情報管理部５００により自動的に付与される。
【００４５】
図７（Ｂ）に例示するように、共有スポットサーバ４は、グループのオーナー又は参加者により登録されたコンテンツ（テンプレート、文字列、写真など）を、このグループのグループＩＤに関連付け、コンテンツデータベース６１０に登録する。なお、コンテンツデータベース６１０には、編集指示情報がそのまま登録されてもよい。
【００４６】
図７（Ｃ）に例示するように、共有スポットサーバ４は、グループの参加者の端末ＩＤ（携帯端末の識別情報）を、このグループのグループＩＤに関連付け、グループデータベース６２０に登録する。
【００４７】
次に、共有スポットシステム１における動作を説明する。
図８は、共有スポットシステム１における動作概要（Ｓ１０）を例示するシーケンス図である。
図８に例示するように、まずオーナーが、共有スポットサーバ４に対して、グループ登録申請を行い、グループの設定情報９００を共有スポットサーバ４に登録する。
共有スポットサーバ４は、設定情報９００が登録されていない場合に、グループへの参加要求を却下する。
共有スポットサーバ４は、グループの設定情報９００の登録を許可すると、このグループを識別するためのグループＩＤをランダムに生成し、生成されたグループＩＤをオーナーに配信する。
【００４８】
共有スポットサーバ４は、グループＩＤを生成後に、グループへの参加受付を開始し、後述するグループ生成処理（Ｓ２０）によって、グループへの参加要求について、認証処理を行い、グループの参加者を追加していく。
なお、認証条件として設定した期間（Ｅｎｔｒｙ ｔｉｍｅ）終了後は、グループへの参加要求は却下される。
【００４９】
次に、共有スポットサーバ４は、認証条件の一部であるテンプレートに対する編集処理を受け付ける。参加者は、写真データ、動画データ又は編集指示情報を共有スポットサーバ４に送信して、テンプレートを編集するよう依頼する。共有スポットサーバ４は、参加者の編集指示情報等に応じて、テンプレートを編集し、編集されたテンプレートをオーナーに送信する。なお、編集されるテンプレート等は、オーナーの携帯端末３に集約されてもよいし、共有スポットサーバ４に集約されてもよい。
【００５０】
編集有効期間（Ｔｅｒｍ ｏｆ ｖａｌｉｄｉｔｙ）が終了すると、共有スポットサーバ４は、グループ内で編集されたテンプレート（すなわち、コンテンツ）をグループの参加者に配信し、グループを解消する。
【００５１】
図１０は、共有スポットサーバ４によるグループ生成処理（Ｓ２０）のフローチャートである。なお、本フローチャートでは、設定情報９００が既に設定情報ＤＢ６００に登録されており、かつ、携帯端末３上で編集支援プログラム３５０が起動していることを前提として説明する。
図１０に例示するように、ステップ２００（Ｓ２００）において、共有スポットサーバ４の場所特定部５４０は、設定情報ＤＢ６００に登録されている期間（Ｅｎｔｒｙ ｔｉｍｅ）に入ると、携帯端末３の現在位置を特定し、設定情報９００の認証条件である場所の範囲（エリア）内に入る携帯端末３を探索する。
共有スポットサーバ４は、認証条件であるエリア内で、携帯端末３が発見されるまで待機し（Ｓ２００：Ｎｏ）、エリア内で新たに携帯端末３が発見されると、Ｓ２０５の処理に移行する（Ｓ２００：Ｙｅｓ）。
【００５２】
ステップ２０５（Ｓ２０５）において、接続部５１０は、認証条件である期間内に、場所特定部５４０によりエリア内の携帯端末３が発見されると、この携帯端末３の編集支援プログラム３５０に対して、コネクション確立を試みる。コネクションが確立されると、図１７（Ａ）に例示するように、共有エリア（共有スポット）に入った旨が携帯端末３に通知される。
ステップ２１０（Ｓ２１０）において、接続部５１０は、携帯端末３の編集支援プログラム３５０との間でコネクションが確立されると、このコネクションを介して、図１７（Ｃ）に例示するように、設定情報ＤＢ６００に登録されているテンプレートのリストを、携帯端末３に表示させて、グループへの参加を促す。
【００５３】
ステップ２２０（Ｓ２２０）において、共有スポットサーバ４は、認証条件である期間内である場合に、Ｓ２２５の処理に移行し、認証条件である期間外となった場合に、グループ生成処理（Ｓ２０）を終了する。
【００５４】
ステップ２２５（Ｓ２２５）において、要求受付部５６０は、時間帯特定部５６２により認証条件である期間内であるか否かを監視しながら、携帯端末３からグループ参加要求が行われるまで待機し（Ｓ２２５：Ｎｏ）、携帯端末３からグループ参加要求を受信すると、S２３０の処理に移行する（Ｓ２２５：Ｙｅｓ）。グループ参加要求には、ユーザが選択したテンプレートのテンプレートＩＤ、及び、携帯端末３が受信したＧＰＳデータが含まれている。
【００５５】
ステップ２３０（Ｓ２３０）において、テンプレート特定部５５０は、グループ参加要求に含まれているテンプレートＩＤを認証部５２０に出力する。
要求受付部５６０は、時間帯特定部５６２により特定されたグループ参加要求の受付時刻を認証部５２０に出力する。
場所特定部５４０は、グループ参加要求に含まれているＧＰＳデータに基づいて、携帯端末３の位置を特定し、特定された位置情報を認証部５２０に出力する。
認証部５２０は、テンプレート特定部５５０から入力されたテンプレートＩＤ、要求受付部５６０から入力された受付時刻、及び、場所特定部５４０から入力された携帯端末３の位置情報と、設定情報ＤＢ６００に登録されている認証条件（場所の範囲、期間、及びテンプレートＩＤ）とを比較する。
【００５６】
ステップ２３５（Ｓ２３５）において、認証部５２０は、携帯端末３の位置及び受付時刻がそれぞれ認証条件の場所の範囲及び期間に含まれており、かつ、テンプレートIDが一致する場合に、この携帯端末３のグループ参加を許可し、これ以外の場合に、グループ参加を禁止する。
共有スポットサーバ４は、グループ参加を許可する場合（すなわち、認証に成功した場合）、Ｓ２４０の処理に移行し、グループ参加を禁止する場合（すなわち、認証に失敗した場合）、Ｓ２４５の処理に移行する。
【００５７】
ステップ２４０（Ｓ２４０）において、ユーザ管理部５７０は、図７（Ｃ）に例示するように、認証部５２０によりグループ参加を許可された携帯端末３の端末ＩＤを、このグループ（認証条件に対応するグループ）のグループＩＤに関連付けてグループデータベース６２０に登録する。
【００５８】
ステップ２４５（Ｓ２４５）において、ユーザ管理部５７０は、認証に失敗した旨を携帯端末３に送信する。認証失敗の情報には、エリア内への移動を促すメッセージが含まれてもよい。
【００５９】
このように、共有スポットサーバ４は、認証条件である場所の範囲及び期間を満たす携帯端末３に対して自動的にコネクションを確立して、グループへの参加を促し、ユーザにより選択されたテンプレートのＩＤ、グループ参加要求の受付時刻、及び携帯端末３の現在位置に基づいて、グループ参加認証を行う。
なお、本例では、図１７（Ｄ）に例示するように、携帯端末３側で、共有エリアに入った場合に自動参加するように設定されているが、これを拒否するように設定することもできる。
【００６０】
図１１は、作成支援サーバ４によるコンテンツ編集配信処理（Ｓ３０）のフローチャートである。
図１１に例示するように、ステップ３００（Ｓ３００）において、コンテンツ管理部５３０は、編集有効期間に移行するまで待機し（Ｓ３００：Ｎｏ）、編集有効期間に移行すると、編集処理（Ｓ３０２）に移行する（Ｓ３００：Ｙｅｓ）。
【００６１】
ステップ３０２（Ｓ３０５）において、コンテンツ編集部５３４は、オーナー又は参加者からの編集指示に応じて、テンプレートの編集処理を行う。編集処理は、テンプレートへの写真の追加に加えて、写真の置換、削除、並び替えなどを含む。編集処理は、ページ単位で行うことができ、コンテンツのデータ単位で行うこともできる。
ステップ３０５（Ｓ３０５）において、コンテンツ管理部５３０は、編集有効期間が終了するまで編集処理（Ｓ３０３）を行い（Ｓ３０５：Ｎｏ）、編集有効期間が終了すると、コンテンツ配信処理（Ｓ３１０）に移行する（Ｓ３０５：Ｙｅｓ）。
【００６２】
ステップ３１０（Ｓ３１０）において、コンテンツ配信部５８０は、グループ内で編集されたコンテンツを、グループに参加しているオーナー及び参加者の携帯端末３に配信する。
【００６３】
ステップ３１５（Ｓ３１５）において、コンテンツ削除部５３６は、編集有効期間が終了し、かつ、コンテンツの配信が終了したことを条件として、グループ内で共有されたコンテンツをすべてコンテンツデータベース６１０から消去させる。
【００６４】
このように、共有スポットサーバ４は、編集有効期間の間だけ、グループ内で共有されているコンテンツに対する編集を許可し、編集有効期間終了後には、グループ内で共有されているコンテンツを参加者等に配信すると、これらのコンテンツをストレージから消去させる。これにより、情報の漏洩が防止され、参加者が安心してグループに参加できる。
【００６５】
以上説明したように、本実施形態の共有スポットシステム１によれば、携帯端末の場所、アクセス要求した時間帯、及び、アクセス対象となるテンプレートに基づいて、グループへの参加認証を行うことができる。
これにより、時、場所及び関心事が共通する参加者によってグループが形成され、活発に共同編集がなされることが期待できる。
【００６６】
次に、第２の実施形態を説明する。
第２の実施形態は、ユーザにより編集されたテンプレートを認証条件の一部として登録可能とした点、認証条件の類似度によってサブグループの形成を可能にした点、及び、テンプレート自体にアクセス制限を課して特定のユーザのみで構成されたグループの形成を可能にした点で、上記第１の実施形態と異なる。
【００６７】
図１２は、第２の実施形態におけるグループの参加条件（認証条件）を説明する図である。
図１２に例示するように、本例の共有スポットシステム１では、特定のエリア（披露宴会場）、期間（披露宴の期間）及びテンプレート（披露宴会場が用意した親テンプレート）を認証条件とした親グループが形成されている場面において、この親テンプレートを編集して共有スポットサーバ４に認証条件として登録することにより、この編集されたテンプレート（子テンプレート）を共有するサブグループ（子グループ）が形成される。
さらに、この子テンプレートを参加者が編集して共有スポットサーバ４に認証条件として登録することにより、この編集されたテンプレート（孫テンプレート）を共有するサブグループ（孫グループ）が形成される。
【００６８】
さらに、本実施形態では、テンプレートを手渡し専用とすることにより（すなわち、テンプレートの入手ルートによるアクセス制限を課すことにより）、特定のユーザ（テンプレートが渡されたユーザ）のみからなるグループの形成を可能にした。
また、テンプレートにパスワードを設定することにより（すなわち、テンプレートのデータファイルそのものにアクセス制限を課すことにより）、特定のユーザ（パスワードを知らされたユーザ）のみからなるグループを形成してもよい。
【００６９】
図１３は、第２の実施形態における共有スポットサーバ４の機能構成を例示する図である。なお、本図に示された各構成のうち、図４に示されたものと実質的に同一のものには同一の符号が付されている。
図１３に例示するように、本実施形態の共有スポットプログラム５２は、図４の共有スポットプログラム５０に、登録判定部５０２を追加し、ユーザ管理部５７０をグループ管理部５７２に置換した構成をとる。
【００７０】
共有スポットプログラム５２において、登録判定部５０２は、新たに登録要求された認証条件と、設定情報ＤＢ６００に登録されている認証条件とを比較し、比較結果に応じて、新たに登録要求された認証条件を設定情報ＤＢ６００に登録するか否かを判定する。
例えば、登録判定部５０２は、新たに登録要求された認証条件が、設定情報ＤＢ６００に既に登録されている認証条件と既定値以上類似している場合に、新たに登録要求された認証条件の登録を禁止する。複数の認証条件が類似する場合（すなわち、時、場所及び関心事（テンプレート）が類似するグループが複数存在する場合）、参加者にとって紛らわしいだけでなく、グループのメンバーが希釈化され、共同編集の活性が落ちる可能性もあり、重複登録の禁止はグループの活性維持に資する。
また、登録判定部５０２は、新たに登録要求された認証条件が、設定情報ＤＢ６００に既に登録されている認証条件のいずれかと既定値以上類似している場合に、この既登録の認証条件に対応するグループのサブグループの認証条件として、新たに登録要求された認証条件の登録を設定情報ＤＢ６００に登録させてもよい。これにより、容易にサブグループの形成が可能になる。
【００７１】
本例の登録判定部５０２は、図１４（Ａ）に例示する類似度判定条件に従って、新たに登録要求された認証条件が、設定情報ＤＢ６００に既に登録されている認証条件のいずれかと酷似している場合に、新たに登録要求された認証条件の新規登録を禁止し、新たに登録要求された認証条件が、設定情報ＤＢ６００に既に登録されている認証条件のいずれかと酷似せず類似している場合に、新たに登録要求された認証条件を、既登録グループのサブグループの設定情報として新規登録させる。
また、本例の登録判定部５０２は、携帯端末３から認証条件（設定情報９００）の登録要求があった場合に、この認証条件に含まれるエリア内にこの携帯端末３が存在する場合にのみ、この登録要求があった認証条件（設定情報９００）の登録を許可する。すなわち、ユーザは、自身が設定したエリア内でのみ、グループの立ち上げを行うことができる。これにより、グループのオーナー自身も実際にそのエリアに行く必要があるため、参加者と場所を共有して、共感を得ることができるグループ（テンプレート）の生成が期待できる。グループの乱立防止も期待できる。
【００７２】
グループ管理部５７２は、図１４（Ｂ）に例示するように、サブグループへの参加者を、このサブグループのグループＩＤ、及び、このサブグループの親グループのグループＩＤに関連付けて、グループＤＢ６２０に登録する。このように、階層化されたグループへの参加が可能になる。
【００７３】
図１５は、第２の実施形態における設定情報登録処理（Ｓ５０）のフローチャートである。
図１５に例示するように、ステップ５００（Ｓ５００）において、設定情報管理部５００は、携帯端末３から設定情報９００を受信するまで待機し（Ｓ５００：Ｎｏ）、設定情報９００を受信すると、Ｓ５０５の処理に移行する。
【００７４】
ステップ５０５（Ｓ５０５）において、登録判定部５０２は、受信した設定情報９００に含まれる場所の範囲と、場所特定部５４０により特定されたこの携帯端末３の位置情報とを比較し、設定情報９００の登録要求をした携帯端末３が、この設定情報９００で設定されたエリア内に存在する場合に、この設定情報９００の登録を許可し、登録要求した携帯端末３が、設定されたエリア内に存在しない場合に、この設定情報９００の登録を禁止する。
共有スポットサーバ４は、登録判定部５０２により登録が許可された場合に、Ｓ５１０の処理に移行し、登録が禁止された場合に、Ｓ５３５の処理に移行する。
【００７５】
ステップ５１０（Ｓ５１０）において、登録判定部５０２は、携帯端末３から受信した認証条件（場所の範囲、期間及びテンプレート）と、既登録の認証条件とを比較し、図１４（Ａ）の類似度判定条件にかける。
【００７６】
ステップ５１５（Ｓ５１５）において、登録判定部５０２は、携帯端末３から受信した認証条件に含まれる場所の範囲及び期間が、既登録の認証条件の場所の範囲及び期間とそれぞれ同一であり、かつ、受信した認証条件に含まれるテンプレートが既登録の認証条件のテンプレートと９５％以上一致する場合に、酷似すると判定して、新規登録を禁止し、これ以外の場合に、酷似しないと判定し、新規登録を許可する。
共有スポットサーバ４は、登録判定部５０２により新規登録が禁止された場合に、Ｓ５３５の処理に移行し、登録判定部５０２により新規登録が許可された場合に、Ｓ５２０の処理に移行する。
【００７７】
ステップ５２０（Ｓ５２０）において、登録判定部５０２は、携帯端末３から受信した認証条件に含まれる場所の範囲及び期間が、既登録の認証条件の場所の範囲及び期間に包含され、かつ、受信した認証条件に含まれるテンプレートが既登録の認証条件のテンプレートと９０％以上一致する場合に、類似すると判定して、サブグループとしての新規登録を指示し、これ以外の場合に、類似しないと判定し、親グループとしての新規登録を指示する。なお、類似すると判定された場合に、登録判定部５０２は、図１７（Ｅ）に例示するように、類似するグループが既登録である旨を通知し、確認を促す。
共有スポットサーバ４は、登録判定部５０２により類似すると判定された場合に、Ｓ５３０の処理に移行し、登録判定部５０２により類似しないと判定された場合に、Ｓ５２５の処理に移行する。
【００７８】
ステップ５２５（Ｓ５２５）において、設定情報管理部５００は、登録判定部５０２からの指示に応じて、携帯端末３から受信した認証条件を、通常のグループ（親グループ）の設定情報として、設定情報ＤＢ６００に登録する。
ステップ５３０（Ｓ５３０）において、設定情報管理部５００は、登録判定部５０２からの指示に応じて、携帯端末３から受信した認証条件を、類似する既登録グループのサブグループの設定情報として、設定情報ＤＢ６００に登録する。
ステップ５３５（Ｓ５３５）において、設定情報管理部５００は、グループの設定情報（認証条件）の登録に失敗した旨を、携帯端末３に通知する。
【００７９】
以上説明したように、第２の実施形態における共有スポットシステム１によれば、認証条件（すなわち、関心事、場所及び期間）が酷似するグループの形成を防止できる。また、互いに類似するグループを階層化して管理することができる。新たにグループを設定するユーザにとっては、図１６に例示するように、親グループのテンプレートの一部を編集し、他の設定情報（期間及び場所など）を借用して、サブグループを作ることができるため、簡便である。
また、テンプレートにアクセス制限を課すことにより、特定のメンバーによるグループの形成も可能になる。
【符号の説明】
【００８０】
１…共有スポットシステム
３…携帯端末
４…共有スポットサーバ
５０、５２…共有スポットプログラム
３００…ＣＰＵ
３０２…揮発性メモリ
３０４…不揮発性メモリ
３０６…ネットワークＩＦ
３０８…タッチパネル
３１０…カメラ
３１２…位置特定装置
３１４…音声入出力装置
３１６…バス
３５０…編集支援プログラム
３５２…位置情報取得部
３５４…時刻取得部
３５６…グループ生成要求部
３５８…グループ参加要求部
３６０…コンテンツ編集部
４００…ＣＰＵ
４０２…メモリ
４０４…ＨＤＤ
４０６…ネットワークＩＦ
４０８…表示装置
４１０…入力装置
４１２…バス
５００…設定情報管理部
５０２…登録判定部
５１０…接続部
５２０…認証部
５３０…コンテンツ管理部
５３２…権限設定部
５３４…コンテンツ編集部
５３６…コンテンツ削除部
５４０…場所特定部
５５０…テンプレート特定部
５６０…要求受付部
５６２…時間帯特定部
５７０…ユーザ管理部
５７２…グループ管理部
５８０…コンテンツ配信部
６００…設定情報データベース
６１０…コンテンツデータベース
６２０…グループデータベース
９００…設定情報
【図１】
2014153925.tif 000003
【図２】
2014153925.tif 000004
【図３】
2014153925.tif 000005
【図４】
2014153925.tif 000006
【図５】
2014153925.tif 000007
【図６】
2014153925.tif 000008
【図７】
2014153925.tif 000009
【図８】
2014153925.tif 000010
【図９】
2014153925.tif 000011
【図１０】
2014153925.tif 000012
【図１１】
2014153925.tif 000013
【図１２】
2014153925.tif 000014
【図１３】
2014153925.tif 000015
【図１４】
2014153925.tif 000016
【図１５】
2014153925.tif 000017
【図１６】
2014153925.tif 000018
【図１７】
2014153925.tif 000019